(57)【要約】中敷圧迫システムは、例えば、循環を増加させ、代謝廃棄物の除去を促進するために、間欠圧力を足または他の身体部分に加える。アクチュエータおよびバッテリを含む中敷圧迫システムは、取り外し可能中敷内に完全に収納され得、したがって、目立たず、使用しやすい。例示的中敷圧迫システムでは、引っ張りばねおよびねじりばねが、ほぼ一定の拡張力を送達するようにＡフレームと相互作用する。一実施形態において、中敷圧迫システムは、軸の周りにＡフレームに旋回可能に結合されている圧力パッドと、Ａフレームに結合されている引っ張りばねと、軸の周りに配置されているねじりばねとを備え、足圧迫システムは、矯正用中敷内に完全に収納可能である。
2018507075.tif 000002
【特許請求の範囲】
【請求項１】
中敷圧迫システムであって、前記システムは、
軸の周りにＡフレームに旋回可能に結合されている圧力パッドと、
前記Ａフレームに結合されている引っ張りばねと、
前記軸の周りに配置されているねじりばねと
を備え、
前記足圧迫システムは、矯正用中敷内に完全に収納可能である、システム。
【請求項２】
前記Ａフレームが開放されているとき、前記圧力パッドは、後退させられており、前記Ａフレームが閉鎖されているとき、前記圧力パッドは、拡張されている、請求項１に記載のシステム。
【請求項３】
前記Ａフレームを閉鎖することに応答して、前記圧力パッドは、前記圧力パッドの運動の範囲にわたってほぼ一定である力を用いて拡張される、請求項２に記載のシステム。
【請求項４】
前記Ａフレームが閉鎖されると、前記ねじりばねおよび前記引っ張りばねは、前記Ａフレームを介して前記圧力パッドに拡張力を及ぼす、請求項２に記載のシステム。
【請求項５】
送りねじと、
前記送りねじに結合されている一対の送りナットであって、前記送りナットは、前記送りねじの回転に応答して、前記Ａフレームを開放位置に押し込むように構成されている、送りナットと
をさらに備えている、請求項１に記載のシステム。
【請求項６】
前記送りねじに結合され、前記送りねじを回転させるように構成されているモータをさらに備えている、請求項５に記載のシステム。
【請求項７】
前記モータと前記送りねじとの間に配置されている減速ギヤボックスをさらに備えている、請求項６に記載のシステム。
【請求項８】
加えられた外力に応答して、前記Ａフレームは、前記送りねじの回転を伴わずに開放位置に向かって移動可能である、請求項５に記載のシステム。
【請求項９】
前記圧力パッドに加えられる外力に応答して、前記Ａフレームは、回転カムの使用を介して開放位置に向かって移動可能である、請求項５に記載のシステム。
【請求項１０】
中敷圧迫システムであって、前記システムは、
履物のアイテムの中に挿入するために構成されている中敷と、
アクチュエータと
を備え、
前記アクチュエータは、
軸の周りにＡフレームに旋回可能に結合されている圧力パッドと、
前記Ａフレームに結合されている第１の引っ張りばねおよび第２の引っ張りばねと、
前記軸の周りに配置されているねじりばねと
を備えている、中敷圧迫システム。
【請求項１１】
前記アクチュエータに結合されているバッテリ部分をさらに備えている、請求項１０に記載のシステム。
【請求項１２】
前記バッテリ部分および前記アクチュエータは、前記中敷内に完全に収納されている、請求項１１に記載のシステム。
【請求項１３】
前記第１の引っ張りばね、前記引張圧迫ばね、および前記ねじりばねは、前記圧力パッドの拡張を引き起こすために前記Ａフレームに力を及ぼすように構成されている、請求項１０に記載のシステム。
【請求項１４】
前記アクチュエータは、１ｍｍ〜１５ｍｍの前記圧力パッドの拡張範囲にわたって６０ニュートン〜８０ニュートンのままである力を及ぼす、請求項１０に記載のシステム。
【請求項１５】
前記アクチュエータによって及ぼされる力は、前記アクチュエータの拡張範囲にわたって１０％を上回って変動しない、請求項１０に記載のシステム。
【請求項１６】
運動後に個人において運動回復を実装する方法であって、前記方法は、
１回目として、アクチュエータを介して、圧力パッドを移動させることにより、前記圧力パッドを足と接触させて、前記足の一部を圧迫することであって、前記圧力パッド、前記アクチュエータ、および前記アクチュエータのための電源は、中敷内に完全に収納されており、前記中敷は、靴に挿入可能かつそこから除去可能である、ことと、
２回目として、前記アクチュエータを介して、前記圧力パッドを移動させることにより、前記圧力パッドを前記足との接触から外し、前記足の前記一部が少なくとも部分的に血液を再び満たすことを可能にすることと、
３回目として、前記アクチュエータを介して、前記圧力パッドを移動させることにより、前記圧力パッドを前記足と接触させて、前記足の前記一部から外へ前記血液の少なくとも一部を押し進めることと
を含む、方法。
【請求項１７】
浮腫、下肢静止不能症候群、静脈機能不全、足底筋膜炎、または創傷を含む群から選択される、病状を治療する方法であって、前記方法は、
１回目として、矯正用中敷に完全に収納されたアクチュエータおよびそのための電源を有する中敷圧迫システムによって、圧力パッドを移動させることにより、前記圧力パッドを人体の一部と接触させて、前記人体の前記一部を圧迫することと、
２回目として、前記中敷圧迫システムによって、前記圧力パッドを移動させることにより、前記圧力パッドを前記人体の前記一部との接触から外し、前記人体の前記一部が少なくとも部分的に血液を再び満たすことを可能にすることと、
３回目として、前記中敷圧迫システムによって、前記圧力パッドを移動させることにより、前記圧力パッドを前記人体の前記一部と接触させて、前記人体の前記一部を圧迫することと
を含む、方法。
【発明の詳細な説明】
【技術分野】
【０００１】
本開示は、概して、脚および足等の身体の一部への血流を増加させるためのシステムおよび方法に関する。それによると、本開示は、概して、血流を刺激するために、土踏まずの中の静脈叢領域および足の甲の表在静脈等の身体のエリアを機械的に圧迫するためのシステムおよび方法に関する。
【背景技術】
【０００２】
通常の状況下で、血液は、歩行するとき等、足または脚の筋肉収縮および全般的運動に起因して、脚の上方に移動する。個人が固定化される場合、定期的に動くことができない場合、または疾患によって引き起こされた循環不良を有する場合、自然な血液還流機構が損なわれ、潰瘍、深部静脈血栓症、および肺塞栓症等の循環問題が起こり得る。
【０００３】
低可動性および循環不良によって引き起こされる問題を軽減するために、代替的手段、例えば、歩行の効果を模倣する手段、または別様に循環を増加させる手段を通して、循環を増進することが望ましい。
【発明の概要】
【課題を解決するための手段】
【０００４】
中敷圧迫システムは、例えば、循環を増加させるために、圧力を足に加えるように構成される。例示的実施形態では、足圧迫システムは、軸の周りにＡフレームに旋回可能に結合されている圧力パッドと、Ａフレームに結合されている引っ張りばねと、軸の周りに配置されているねじりばねとを備えている。足圧迫システムは、矯正用中敷内に完全に収納可能である。
【０００５】
別の例示的実施形態では、中敷圧迫システムは、履物のアイテムの中に挿入するために構成されている中敷と、アクチュエータとを備えている。アクチュエータは、軸の周りにＡフレームに旋回可能に結合されている圧力パッドと、Ａフレームに結合されている第１の引っ張りばねおよび第２の引っ張りばねと、軸の周りに配置されているねじりばねとを備えている。
【０００６】
別の例示的実施形態では、運動後に個人において運動回復を実装する方法は、圧力パッドを足と接触させて、足の一部を圧迫するように、アクチュエータを介して、１回目として圧力パッドを移動させることを含む。圧力パッド、アクチュエータ、およびアクチュエータのための電源は、中敷内に完全に収納される。中敷は、靴に挿入可能かつそこから除去可能である。方法はさらに、圧力パッドを足との接触から外し、足の一部が少なくとも部分的に血液を再び満たすことを可能にするように、アクチュエータを介して、２回目として圧力パッドを移動させることと、圧力パッドを足と接触させて、足の一部から外へ血液の少なくとも一部を押し進めるように、アクチュエータを介して、３回目として圧力パッドを移動させることとを含む。
【０００７】
さらに別の例示的実施形態では、浮腫、下肢静止不能症候群、静脈機能不全、足底筋膜炎、または創傷を含む群から選択される病状を治療する方法は、圧力パッドを人体の一部と接触させて、人体の一部を圧迫するように、矯正用中敷に完全に収納されるアクチュエータおよびそのための電源を有する中敷圧迫システムによって、１回目として圧力パッドを移動させることと、圧力パッドを人体の一部との接触から外し、人体の一部が少なくとも部分的に血液を再び満たすことを可能にするように、中敷圧迫システムによって、２回目として圧力パッドを移動させることと、圧力パッドを人体の一部と接触させて、人体の一部を圧迫するように、中敷圧迫システムによって、３回目として圧力パッドを移動させることとを含む。
【０００８】
本概要の内容は、本開示への簡略化された導入のみとして提供され、添付の請求項の範囲を限定するために使用されることを意図していない。
【図面の簡単な説明】
【０００９】
本開示の主題は、本明細書の結論部分で、具体的に指摘され、明確に請求される。しかしながら、本開示は、編成および操作方法の両方に関して、類似部品が類似番号によって参照され得る、請求項および付随の図面と併せて解釈される、以下の説明を参照することによって、最も良く理解され得る。
【図１Ａ】図１Ａは、例示的実施形態による、中敷圧迫システムのブロック図を図示する。
【図１Ｂ】図１Ｂは、例示的実施形態による、中敷圧迫システムの構成要素を図示する。
【図１Ｃ】図１Ｃは、例示的実施形態による、中敷圧迫システムの構成要素を図示する。
【図１Ｄ】図１Ｄは、例示的実施形態による、拡張された圧力パッドを伴う中敷圧迫システムを図示する。
【図１Ｅ】図１Ｅは、例示的実施形態による、後退させられた圧力パッドを伴う中敷圧迫システムを図示する。
【図１Ｆ】図１Ｆは、例示的実施形態による、後退させられた圧力パッドを伴う中敷圧迫システムの構成要素の切断図を図示する。
【図１Ｇ】図１Ｇは、例示的実施形態による、拡張された圧力パッドを伴う中敷圧迫システムの構成要素の切断図を図示する。
【図２Ａ】図２Ａは、例示的実施形態による、中敷圧迫システムのアクチュエータの構成要素を図示する。
【図２Ｂ】図２Ｂは、例示的実施形態による、拡張された圧力パッドを示す、中敷圧迫システムのアクチュエータの構成要素を図示する。
【図２Ｃ】図２Ｃは、例示的実施形態による、開放したＡフレームを示す、中敷圧迫システムのアクチュエータの構成要素を図示する。
【図２Ｄ】図２Ｄおよび２Ｅは、例示的実施形態による、中敷圧迫システムのアクチュエータの構成要素を図示する。
【図２Ｅ】図２Ｄおよび２Ｅは、例示的実施形態による、中敷圧迫システムのアクチュエータの構成要素を図示する。
【図３Ａ】図３Ａは、例示的実施形態による、中敷圧迫システムの中敷部分の構成要素を図示する。
【図３Ｂ】図３Ｂは、例示的実施形態による、拡張された圧力パッドを有する、中敷圧迫システムの切断図を図示する。
【図４】図４は、例示的実施形態による、中敷圧迫システムの動作性能を図示する。
【図５Ａ】図５Ａ、５Ｂ、６、７、８、９、１０、および１１は、種々の例示的実施形態による、例示的中敷圧迫システムを使用する方法を図示する。
【図５Ｂ】図５Ａ、５Ｂ、６、７、８、９、１０、および１１は、種々の例示的実施形態による、例示的中敷圧迫システムを使用する方法を図示する。
【図６】図５Ａ、５Ｂ、６、７、８、９、１０、および１１は、種々の例示的実施形態による、例示的中敷圧迫システムを使用する方法を図示する。
【図７】図５Ａ、５Ｂ、６、７、８、９、１０、および１１は、種々の例示的実施形態による、例示的中敷圧迫システムを使用する方法を図示する。
【図８】図５Ａ、５Ｂ、６、７、８、９、１０、および１１は、種々の例示的実施形態による、例示的中敷圧迫システムを使用する方法を図示する。
【図９】図５Ａ、５Ｂ、６、７、８、９、１０、および１１は、種々の例示的実施形態による、例示的中敷圧迫システムを使用する方法を図示する。
【図１０】図５Ａ、５Ｂ、６、７、８、９、１０、および１１は、種々の例示的実施形態による、例示的中敷圧迫システムを使用する方法を図示する。
【図１１】図５Ａ、５Ｂ、６、７、８、９、１０、および１１は、種々の例示的実施形態による、例示的中敷圧迫システムを使用する方法を図示する。
【発明を実施するための形態】
【００１０】
本開示の詳細が、種々の構成要素および処理ステップの観点から本明細書に説明され得る。そのような構成要素およびステップは、規定機能を果たすように構成される任意の数のハードウェアならびに／またはソフトウェア構成要素によって実現され得ることを理解されたい。例えば、システムは、１つ以上の制御システムもしくは他の制御デバイスの制御下で種々の機能を実施し得る種々の医学的治療デバイス、入力および／または出力要素等を採用し得る。加えて、本開示の詳細は、任意の数の医療または治療状況で実践され得、例えば、深部静脈血栓症の治療に関連して、または本明細書に説明されるように運動回復に関連して使用可能である中敷圧迫システムに関する例示的実施形態は、例示的用途のうちのいくつかにすぎない。例えば、議論される原理、特徴、および方法は、任意の医療または他の組織もしくは治療用途に適用され得る。
【００１１】
さらに、本開示の原理は、説明の目的で、足を続けて参照して本明細書に説明される。しかしながら、そのような原理は、例えば、循環の改善が所望されるとき、身体の他の部分にも適用され得る。
【００１２】
有意な健康利益が、中敷圧迫システムの利用によって達成されることができる。例えば、歩行から生じる利益に匹敵する、またはそれに等しい健康利益が、達成され得る。さらに、例示的中敷圧迫システムは、従来の履物、例えば、靴、スニーカ、ブーツ、および／または同等物に挿入可能であり、かつそこから除去可能である。したがって、例示的中敷圧迫システムは、小型で携帯用であり、目立たないので、ユーザコンプライアンスが、大いに増加させられ得る。
【００１３】
さらに、以前の圧迫システムは、典型的には、近線形または「一定」の力曲線を送達することが可能ではなかった。別の言い方をすれば、以前の圧迫システムは、多くの場合、例えば、別の足とは対照的な特定の足の幾何学形状に基づいて、圧力パッドの拡張距離に基づいて、および／または同等物によって、加えられる力の量が大幅に変動した。対照的に、本開示の原理に従って構成される中敷圧迫システムは、足の幾何学形状および拡張距離が変動しても、より一貫した力を送達することが可能である。例えば、例示的中敷圧迫システムは、足の幾何学形状に関係なく、０ｍｍ〜約１５ｍｍの拡張範囲にわたって７０ニュートン（＋／−１０％）の力を送達することが可能である。
【００１４】
中敷圧迫システムは、往復圧迫力を生物の一部、例えば、ヒトの足、ふくらはぎ、または大腿に送達するように構成される任意のシステムであり得る。ここで図１Ａから１Ｇを参照して、例示的実施形態によると、中敷圧迫システム１００は、アクチュエータ１１０と、バッテリ１３０と、中敷１５０と、制御パッド１７０とを備えている。アクチュエータ１１０は、往復圧迫力を生物の一部、好ましくは、ヒトの足に送達するように構成される。バッテリ１３０は、動作電力をアクチュエータ１１０に供給する。中敷１５０は、従来の履物に挿入可能かつそこから除去可能であり、アクチュエータ１１０およびバッテリ１３０を完全に収納するように構成される。制御パッド１７０は、アクチュエータ１１０の動作を制御し、中敷１５０の外部にあり得るか、または完全にその中に収納され得る。さらに、中敷圧迫システム１００は、往復圧迫力を生物の一部に送達するように構成される任意の適切な構成要素および／または要素で構成され得る。
【００１５】
ある例示的実施形態では、中敷圧迫システム１００は、アクチュエータ１１０、バッテリ１３０、および制御パッド１７０のみを備え得る。これらの実施形態では、中敷圧迫システム１００は、別個の中敷の中へ設置するために構成され得る。
【００１６】
アクチュエータ１１０は、例えば、足に圧迫力を加えるように構成される、任意のデバイス、システム、または構造であり得る。例示的実施形態では、アクチュエータ１１０は、取り外し可能中敷、例えば、矯正器具の中に完全に収納可能であるように構成される。アクチュエータ１１０は、中敷内に完全に収納され、および／またはそれに統合されるように構成され得る。例えば、種々の例示的実施形態では、アクチュエータ１１０は、厚さ０．５インチ未満であるように構成される。さらに、アクチュエータ１１０は、例えば、スナップ嵌め、プレス嵌め、および／または同等物を介して、中敷１５０から除去可能であり得る。
【００１７】
ここで図２Ａから２Ｅを参照すると、種々の例示的実施形態では、アクチュエータ１１０は、ケース１１１によって少なくとも部分的に画定される外側形状を有する。ケース１１１は、複数の部分、例えば、上側ケース１１１−Ａおよび下側ケース１１１−Ｂを備え得る。ケース１１１は、金属、プラスチック、複合材料、または他の好適な耐久性材料で形成され得る。ケース１１１は、アクチュエータ１１０の種々の部分を封入するように構成される。
【００１８】
例示的実施形態によると、圧力パッド１１２は、個人の足を押すように構成される、剛または半剛の構造を備えている。種々の例示的実施形態では、圧力パッド１１２は、拡張可能かつ後退可能である。さらに、圧力パッド１１２は、剛、半剛、非変形可能、および／または非曲げ可能であり得る。加えて、圧力パッドは、例えば、人体の一部の寸法に少なくとも部分的に適合するために、少なくとも部分的に変形可能および／または可撓であり得る。
【００１９】
圧力パッド１１２は、任意の好適な材料、例えば、金属、プラスチック、複合材料、および／または同等物から作製され得る。例示的実施形態では、圧力パッド１１２は、ナイロン６−６を含む。さらに、圧力パッド１１２は、力を個人の足に伝達するために好適な任意の材料から成り得る。圧力パッド１１２は、モノリシックでもあり得る。代替として、圧力パッド１１２は、２つ以上の個々の構成要素を備え得る。
【００２０】
圧力パッド１１２は、例えば、中心軸１１５の周りの配置を介して、少なくとも部分的に旋回可能であり得る。このようにして、圧力パッド１１２は、人体の一部、例えば、圧力パッド１１２の完全後退位置または完全拡張位置に対してある角度で配置される足の表面により密接に適合し得る。
【００２１】
圧力パッド１１２は、所望の量の力を個人の足に伝達するように、任意のサイズであることができる。例示的実施形態によると、圧力パッド１１２は、土踏まず領域に力を直接加える。種々の例示的実施形態では、圧力パッド１１２は、約６平方センチメートル〜約３０平方センチメートルの範囲内の接触表面積を備えている。種々の例示的実施形態では、圧力パッド１１２は、約１０平方センチメートル〜約２４平方センチメートルの範囲内の接触表面積を備えている。他の例示的実施形態では、圧力パッド１１２は、約１８平方センチメートル〜約２３平方センチメートルの範囲内の接触表面積を備えている。しかしながら、圧力パッド１１２は、力を足に伝達するために、所望に応じて、任意の適切な寸法、表面、角度、および／または構成要素で構成され得る。
【００２２】
ある例示的実施形態では、圧力パッド１１２は、拡散キャップで構成され、および／またはそれに結合される。拡散キャップは、圧力パッド１１２の寸法に近い、および／または圧力パッド１１２よりわずかに大きい寸法で構成され得る。拡散パッドは、好適な軟質耐久性材料、例えば、低密度ポリエチレンプラスチック、弾性ポリウレタン、または発泡体を備え、約０．５ｍｍ〜約１．２５ｍｍの厚さを有し得る。拡散キャップは、例えば、接着剤によって、圧力パッド１１２に取り付けられ得るか、または圧力パッド１１２上に直接もしくはそれを伴って成形され得る。拡散パッドは、足から圧力パッド１１２を当てる、より軟質の要素を提供する。加えて、圧力パッド１１２の縁の周囲の拡散パッドの拡張は、ユーザ快適性を増加させるように縁の圧力を和らげる。
【００２３】
中心軸１１５を介して、圧力パッド１１２は、Ａフレーム１１６に結合される。さらに、圧力パッド１１２は、任意の好適な電力伝達構成要素によって移動させられ、および／またはそれに結合されるように構成され得る。中心軸１１５は、当技術分野で公知であるように、ステンレス鋼または他の好適な軸材料を備え得る。中心軸１１５は、Ａフレーム１１６内の「Ａ」の頂点に位置する、旋回可能接合部を形成する。
【００２４】
種々の例示的実施形態では、アクチュエータ１１０は、Ａフレーム１１６を備えている。Ａフレーム１１６は、２つの部分、例えば、Ａフレーム１１６−Ａおよび１１６−Ｂを備え得る。Ａフレーム１１６−Ａおよび１１６−Ｂは、中心軸１１５の周りに少なくとも部分的に旋回可能であり、Ａフレーム１１６が「開放」および「閉鎖」することを可能にする。Ａフレーム１１６が閉鎖されると、中心軸１１５（したがって、圧力パッド１１２）は、ケース１１１によって画定されるアクチュエータ１１０の一部から離れて拡張され、Ａフレーム１１６が開放されると、中心軸１１５は、ケース１１１によって画定されるアクチュエータ１１０の一部に向かって後退させられる。
【００２５】
ねじりばね１１４は、中心軸１１５の周りに配置される。ねじりばね１１４は、「閉鎖」力をＡフレーム１１６に与えるように構成される。別の言い方をすれば、ねじりばね１１４は、拡張力を圧力パッド１１２に与えるように構成される。ある例示的実施形態では、ねじりばね１１４は、アクチュエータ１１０の中で単独で利用され得、他の例示的実施形態では、ねじりばね１１４は、Ａフレーム１１６を少なくとも部分的に閉鎖するように、引っ張りばね１１８に関連して利用され得る。
【００２６】
例示的実施形態では、ねじりばね１１４は、ピアノ線を備えている。しかしながら、ねじりばね１１４は、当技術分野で公知であるように、任意の好適なばね材料を備え得る。ねじりばね１１４は、Ａフレーム１１６に所望の力を及ぼすように、好適な直径および／または巻数で構成され得る。種々の例示的実施形態では、ねじりばね１１４は、約０．０５インチ〜約０．０８インチ、好ましくは、約０．０６２５インチのワイヤ直径で構成される。種々の例示的実施形態では、ねじりばね１１４は、約４個のコイル〜約７個のコイル、好ましくは、５．３２５個のコイルで構成される。
【００２７】
Ａフレーム１１６が開放されるとき、エネルギーが、ねじりばね１１４に貯蔵される。Ａフレーム１１４が閉鎖されるとき、ねじりばね１１４は、エネルギーを放出する。
【００２８】
種々の例示的実施形態では、アクチュエータ１１０において、引っ張りばね１１８、例えば、引っ張りばね１１８−Ａおよび１１８−Ｂが、Ａフレーム１１６の端部の中に配置される引っ張りばねピンに結合される。従って、引っ張りばね１１８は、「閉鎖」力をＡフレーム１１６に与えるように構成される。別の言い方をすれば、引っ張りばね１１８は、拡張力を圧力パッド１１２に与えるように構成される。Ａフレーム１１６が開放されるとき、エネルギーが、引っ張りばね１１８に貯蔵される。Ａフレーム１１４が閉鎖されるとき、引っ張りばね１１８は、エネルギーを放出する。
【００２９】
例示的実施形態では、引っ張りばね１１８は、ピアノ線を備えている。しかしながら、引っ張りばね１１８は、当技術分野で公知であるように、任意の好適なばね材料を備え得る。引っ張りばね１１８は、Ａフレーム１１６に所望の力を及ぼすように、好適な長さ、直径、ばね定数、初張力、および／または同等物で構成され得る。種々の例示的実施形態では、引っ張りばね１１８は、約０．１５インチ〜約０．２インチ、好ましくは、約０．１８８インチの外径で構成される。種々の例示的実施形態では、引っ張りばね１１８は、約０．５インチ〜約０．６インチ、好ましくは、約０．５６インチの長さで構成される。種々の例示的実施形態では、引っ張りばね１１８は、約２ポンド／インチ〜約４ポンド／インチ、好ましくは、約２．９ポンド／インチのばね定数で構成される。種々の例示的実施形態では、引っ張りばね１１８は、約０．１ポンド〜約０．３ポンド、好ましくは、約０．２ポンドの初張力で構成される。
【００３０】
アクチュエータ１１０、ねじりばね１１４、および引っ張りばね１１８は、圧力パッド１１２の拡張のための貯蔵エネルギーを提供する。別の言い方をすれば、アクチュエータ１１０は、拡張のために「ばね負荷されている」と見なされ得る。対照的に、アクチュエータ１１０では、モータ１２４は、圧力パッド１１２の後退のための力を加える。種々の例示的実施形態では、モータ１２４からの力が、送りナット１２０を通して圧力パッド１１２を後退させるように加えられる。
【００３１】
種々の例示的実施形態では、Ａフレーム１１６、ねじりばね１１４、および引っ張りばね１１８は、圧力パッド１１２が、例えば、約０ｍｍ〜約１５ｍｍの任意の好適な距離を拡張される場合、略一貫した拡張力を圧力パッド１１２に提供するように、補完的様式で稼働する。足の形状、履物、履物閉鎖システムの緊張度、および他の関連要因に応じて、圧力パッド１１２は、種々の拡張高さで足に作用し得、従って、中敷圧迫システム１００において、圧力パッド１１２は、望ましくは、例えば、効率的な血液ポンプ作用を達成するために、略一貫した力を用いて拡張される。
【００３２】
種々の例示的実施形態では、図４を一時的に参照すると、中敷圧迫システム１００は、約５０ニュートン〜約８０ニュートンの略一貫した力を用いて圧力パッド１１２を拡張するように構成される。これは、Ａフレーム１１６の幾何学形状およびばね力の平衡を介して達成され得る。例えば、Ａフレーム１１６が開放位置から閉鎖位置まで移動すると、Ａフレーム１１６の基部は、中心軸１１５を上向きに押すように、例えば、ケース１１１に反応する。Ａフレーム１１６が閉鎖するにつれて、反発てこ作用が変化する。Ａフレーム１１６が開放しているとき、反発てこ作用は、はるかに低く、より多くの力が、中心軸１１５を持ち上げるために必要とされる一方で、Ａフレーム１１６が中間点以上まで閉鎖されているとき、反発てこ作用は、大いに増加する。逆に、ねじりばね１１４および引っ張りばね１１８が、Ａフレーム１１６のための開放位置まで伸張されているとき、ねじりばね１１４および引っ張りばね１１８は、Ａフレーム１１６が閉鎖されているようなそれらの弛緩位置に接近するときよりも大きい閉鎖力を加える。したがって、Ａフレーム１１６の可変反発てこ作用および可変ばね力は、圧力パッド１１２の可動域にわたって略一貫している、圧力パッド１１２のための拡張力を提供するように、補完的方法で相互作用する。
【００３３】
ここで図４を参照すると、種々の例示的実施形態では、中敷圧迫システム１００は、一定またはほぼ一定の拡張力で構成される。引っ張りばね１１８からの力およびねじりばね１１４からの力は、圧力パッド１１２が拡張されるにつれて互いから逆に変動することが分かり得るが、しかしながら、中敷圧迫システム１１０によって及ぼされる正味の力は、ほぼ一定のままである。
【００３４】
ここで図２Ａから２Ｅを参照すると、種々の例示的実施形態では、送りナット１２０、例えば、送りナット１２０−Ａおよび１２０−Ｂは、送りねじ１２２の周りに螺合される。送りナット１２０は、Ａフレーム１１６の「内側」に配置される（すなわち、Ａフレーム１１６のそれぞれの端部が、送りナット１２０とケース１１１の外側との間に位置する）。送りナット１２０は、任意の好適な耐久性材料、例えば、金属、繊維ガラスを含浸したナイロン６−６、および／または同等物を備え得る。送りナット１２０は、圧力パッド１１２に後退させるために、モータ１２６によって生成される力を伝達するように構成される。
【００３５】
送りナット１２０は、Ａフレーム１１６に当接し得るが、それに結合されない。別の言い方をすれば、第１の方向への送りねじ１２２の回転に応答して、送りナット１２０は、完全開放位置に向かってＡフレーム１１６を押し進めるように、Ａフレーム１１６の下側部分を「外向きに」押し得る。しかしながら、送りねじ１２２が第２の反対方向に回転させられる場合、送りナット１２０は、完全閉鎖位置に向かってＡフレーム１１６を「内向きに」引かず、むしろ、Ａフレーム１１６は、ねじりばね１１４および／または引っ張りばね１１８からの加力を介して閉鎖される。このようにして、アクチュエータ１１０内のある構成要素は、圧力パッド１１２に及ぼされる過剰な外力、例えば、起立しているユーザによって加えられる力から保護される。加えられた外力に応答して、Ａフレーム１１６は、単に、完全開放位置に向かって、（力の強度に応じて）少なくとも部分的または完全に開放し、したがって、圧力パッド１１２を後退させる。Ａフレーム１１６が、１つの方向に送りねじ１２２に対して「浮動する」と見なされ得るので、モータ１２６およびギヤボックス１２４は、損傷から保護され、クラッチまたは他の係合解除要素は、アクチュエータ１１０に含むために不必要である。さらに、足に加えられる力が、ねじりばね１１４、引っ張りばね１１８、およびＡフレーム１１６によって生成される力を超えることができないので、中敷圧迫システム１００のユーザは、同様に、損傷から保護される。
【００３６】
送りねじ１２２は、ギヤボックス１２４から送りナット１２０に力を伝達する。送りねじ１２２は、任意の好適な耐久性材料、例えば、高級ステンレス鋼を含み得る。一例示的実施形態では、送りねじ１２２は、３ｍｍピッチで３つのねじ山開始部を有する、４ｍｍ外径で構成され得る。さらに、任意の好適な直径、ねじ山の数、およびねじ山ピッチが、利用され得る。送りねじ１２２は、送りねじ１２２が両方向に旋回させられると、送りナット１２０を同時に内向きまたは外向きに移動させるために、一方の部分の上に右巻ねじ山、他方の部分の上に左巻ねじ山で構成され得る。
【００３７】
ギヤボックス１２４は、モータ１２６と送りねじ１２２とを結合する。ギヤボックス１２４は、モータ１２６によって取得される機械効率を増加させるように構成される機構、例えば、減速ギヤボックスを備えている。モータ１２６からの出力された力は、圧力パッド１１２の移動をもたらすための適切なギヤ比を達成するために、ギヤボックス１２４を通して伝達される。したがって、ギヤボックス１２４は、固定ギヤ比を有し得る。代替として、ギヤボックス１２４は、可変または調節可能なギヤ比を有し得る。ギヤボックス１２４は、圧力パッド１１２の移動をもたらすように任意の好適な様式で構成される、任意の好適な比を備え得る。ある例示的実施形態では、ギヤボックス１２４は、約８８：１〜約１５０：１のギヤ比で構成される。ギヤボックス１２４の種々のギヤ比が、中敷圧迫システム１００の所望のてこ作用および動作速度を達成するために、送りねじ１２２、Ａフレーム１１６、およびモータ１２６の構成に関連して利用され得ることが理解されるであろう。さらに、ギヤボックス１２４は、モータ１２６からアクチュエータ１１０の他の構成要素、例えば、送りねじ１２２に出力された力を伝達するために、所望に応じて、任意の好適な構成要素、構成、比、機構、および／または同等物を備え得る。
【００３８】
モータ１２６は、圧力パッド１１２を後退させる機械力を生成するように構成される任意の構成要素であり得る。例示的実施形態によると、モータ１２６は、ピニオンを駆動する回転出力シャフトを備えている。モータ１１２６は、ブラシレス直流（ＤＣ）モータ、ブラシ付きＤＣモータ、コアレスＤＣモータ、リニアＤＣモータ、および／または同等物等の任意の好適なモータを備え得る。さらに、アクチュエータ１１０内の可動部品を駆動するための現在公知である、または将来採用される、任意のモータ、アクチュエータ、マイクロエンジン、または類似デバイスが、本開示の範囲内に入る。
【００３９】
アクチュエータ１１０において、モータ１２６は、圧力パッド１１２が貯蔵エネルギーばねを利用する拡張の準備ができた状態にするように、アクチュエータ１１０を「そらせる（ｃｏｃｋ）」動力を提供する。別の言い方をすれば、アクチュエータ１１０において、モータ１２６は、閉鎖位置ではなく、開放位置に向かって、および／またはその中へＡフレーム１１６を駆動する。Ａフレーム１１６の開放移動は、エネルギーをねじりばね１１４および引っ張りばね１１８に貯蔵する。制御パッド１７０からの制御入力に応答して、Ａフレーム１１６は、例えば、スイッチを介して解放され、ばね１１４および１１８の影響下で閉鎖位置に向かって、ならびに／またはその中へ移動し、圧力パッド１１２を拡張する。その後、モータ１２６は、圧力パッド１１２を後退させるように動作し、サイクルは、所望に応じて繰り返され得る。
【００４０】
種々の例示的実施形態では、圧力パッド１１２は、中敷圧迫システム１００のユーザの脚の上方に拍出される血液のための標的速度を生成するように最適化された速力における中敷圧迫システム１００の動作を介して、拡張される。従って、ある例示的実施形態では、中敷圧迫システム１００は、約０．４５秒〜約０．５５秒、好ましくは、約０．５秒の時間にわたって、約１５ｍｍの距離で圧力パッド１１２を拡張するように構成される。Ａフレーム１１６、送りナット１２０、送りねじ１２２、ギヤボックス１２４、およびモータ１２６は、望ましくは、Ａフレーム１１６が所望の時間枠内で閉鎖することを可能にするように構成されることが理解されるであろう。
【００４１】
種々の例示的実施形態によると、中敷圧迫システム１１０は、センサ１２５、例えば、概して、バッテリ１３０の上に配置されるセンサ１２５を備え得る。この場所は、望ましくは、中敷圧迫システム１００のユーザの踵の下にセンサ１２５を置くことが理解されるであろう。センサ１２５は、加えられた重さおよび／または運動量を検出するように構成される任意の好適なセンサを備え得る。ある例示的実施形態では、センサ１２５は、圧電衝撃センサを備え、さらに、センサ１２５は、特定のユーザの具体的必要性に合わせられるために、調節可能な感度で構成され得る。センサ１２５が、２５ポンド以上等の好適な量の重さもしくは運動量を検出すると、制御パッド１７０は、個人が歩行している（すなわち、座っていない、もしくは仰向けになっていない）、または別様にアクチュエータ１１０に圧力をかけていることを推測し得る。さらに、任意の適切な重さが利用され得、したがって、本開示の範囲内に入る。それによると、制御パッド１７０は、圧力パッド１１２が望ましくないときに拡張されないことを確実にするように、中敷圧迫システム１００をアクティブ化することにおいて遅延を実装し得る。種々の例示的実施形態では、センサ１２５が好適な加えられた重さまたは運動量を検出することに応答して、制御パッド１２７は、３０秒、１分、２分、および／もしくは同等物の遅延を実装し、その後、センサ１２５が好適な加えられた重さまたは運動量を検出するまで、通常動作を再開し得る。加えて、センサ１２５が遅延期間中に加えられた重さまたは運動量を検出する場合、遅延タイマがリセットされ得、遅延期間が再び始まる。
【００４２】
例示的実施形態によると、圧力パッド１１２は、約１〜５秒の時間にわたって拡張位置で保たれ得る。種々の例示的実施形態では、圧力パッド１１２は、約１〜５秒、好ましくは、２秒により近い時間にわたって足の静脈叢領域に対して押される。減圧筐体１１１から離れて拡張されたとき、圧力パッド１１２は、足の静脈叢領域を押す。圧力パッド１１２は、土踏まずにおける静脈と、ほぼ中足指関節から距骨まで足の甲にわたる静脈との両方を圧迫する。しかしながら、本開示の原理は、例えば、血流を刺激するために、身体上の任意の所望の部位を押し、任意の好適な時間にわたって拡張位置で保たれている圧力パッド１１２を想定する。
【００４３】
例示的実施形態では、圧力パッド１１２は、所望の期間にわたって拡張および／または後退するように構成される。種々の例示的実施形態では、圧力パッド１１２は、約０．５秒〜約１．５秒、好ましくは、約０．８秒の時間内に完全後退位置から完全拡張位置まで拡張するように構成される。種々の例示的実施形態では、圧力パッド１１２は、約０．５秒〜約１．５秒、好ましくは、約０．９秒の時間内に完全後退位置から完全拡張位置まで拡張するように構成される。しかしながら、圧力パッド１１２は、任意の好適な期間にわたって拡張および／または後退するように構成され得る。さらに、個人の間の相違（例えば、土踏まずの高さ、土踏まずの曲率、幅、長さ、および／または同等物等の足の固有の特徴）は、圧力パッド１１２が展開される期間に影響を及ぼし得る。
【００４４】
例示的実施形態では、圧力パッド１１２は、例えば、中敷１５０の外面と同一平面またはほぼ同一平面であるように後退する。このようにして、中敷圧迫システム１００は、着用者が従来の中敷または矯正器具を着用している感覚を体験するように、動作していないときに着用者の感覚から「隠され」得る。例えば、静脈叢の圧迫は、下腿の上方に血液を放出し、次いで、例えば、静脈叢の静脈が血液を再び満たすことを可能にするために、非圧迫の期間が続く。種々の例示的実施形態では、圧力パッド１１２は、足の静脈叢領域に対して押され、次いで、約１０秒〜約４５秒、好ましくは、２０秒〜４５秒の規則的間隔で後退させられる。しかしながら、圧力パッド１１２は、足の静脈叢領域に対して押され、次いで、例えば、血流を刺激するように、任意の好適な間隔内に後退させられ得る。さらに、加えられる圧力の量に加えて、圧迫は、上昇した速度で下腿の静脈を通して血液を移動させるために、かつ疼痛を低減させる化学化合物を放出するために、（例えば、約０．４５秒〜約０．５５秒の時間間隔で圧力パッド１１２を上昇させることによって）急速であり得る。
【００４５】
特定の時間範囲、サイズ、圧力、移動距離等が、本明細書に説明されているが、これらの値は、純粋に例として挙げられている。種々の他の時間範囲、サイズ、圧力、距離等が、使用され、本開示の範囲内に入ることができる。本明細書に記載されるように、圧力を個人の足に加えるように構成される任意のデバイスが、本開示の範囲内に入ると見なされる。
【００４６】
ここで図３Ａおよび３Ｂを参照すると、種々の例示的実施形態では、中敷１５０は、中敷圧迫システム１００の構成要素を支持、収納、および／または収容するように構成される。例示的実施形態では、中敷フレーム１５２は、耐久性材料、例えば、約１０ポンド〜約１５ポンド／平方フィートの密度（すなわち、約ショアＡ６５）を有する、成形硬質ポリウレタン発泡体を備えている。中敷フレーム１５２は、バッテリ１３０を受け取る空洞、アクチュエータ１１０を受け取る空洞、および圧力パッド１１２の拡張ならびに後退を可能にする開口で構成される。
【００４７】
中敷１５０はさらに、発泡体または他のパッド層１５４、例えば、約０．５ｍｍ〜約２ｍｍの厚さおよび約４ポンド〜約６ポンドの密度を有する、ＥＶＡ発泡体を備え得る。
【００４８】
中敷１５０は、伸縮可能および／または防水の上層、例えば、伸縮シート１５８を備え得る。伸縮シート１５８は、１つまたは複数の任意の好適な可撓性材料、例えば、ポリエラスタン４方向伸縮トリコット生地を備え得、防水のための伸縮ウレタン、シリコーン、または伸縮ゴムコーティングで構成され得る。伸縮シート１５８は、その下の圧力パッド１１２の拡張および後退に適応するように構成され、中敷圧迫システム１００の動作中、靴下、埃、または他の織物要素の閉じ込めを防止する。中敷１５０の構成要素は、任意の好適な方法または材料、例えば、恒久接着剤、接着剤（例えば、感圧接着剤１５３の層）、および／または同等物を介して、結合ならびに／もしくは接合され得る。種々の例示的実施形態では、接着剤は、概して、圧力パッド１１２が拡張するであろうエリアの周囲に未固定部分を残しながら、パッド層１５４および／または中敷フレーム１５２の少なくとも一部に伸縮シート１５８を保持する。このようにして、伸縮シート１５８は、ユーザの足と中敷圧迫システム１００の他の構成要素との間に障壁を維持しながら、圧力パッド１１２の移動に応答して、局所的に伸長および／または変形し得る。
【００４９】
中敷１５０は、履物の従来のアイテムに完全に挿入可能（かつそこから除去可能）であるように構成される。このようにして、中敷圧迫システム１１０は、携帯用であり、便利であり、交換可能であり、目立たなく、かつ安価であり得る。さらに、ユーザは、特殊化履物を購入する必要なく、中敷圧迫システム１００の動作に関連付けられる利益を得ることができる。
【００５０】
再度、図１Ａから１Ｆを参照すると、種々の例示的実施形態では、中敷圧迫システム１００は、種々のセンサ、例えば、圧力センサ、重量センサ、歪みゲージ、加速度計、運動センサ、および／または同等物を備え得る。一実施形態では、アクチュエータ１１０は、中敷圧迫システム１００の監視および／または制御のための１つ以上のセンサを利用し得る。例えば、ある例示的実施形態では、個人が歩行しているとき、または体重をアクチュエータ１１０に加えているとき、圧力パッド１１２の拡張を防止することが望ましくあり得る。したがって、制御パッド１７０は、例えば、個人が歩行していることを示すセンサ入力（例えば、加速度計読み取り値、重量センサ読み取り値、運動センサ読み取り値、および／または同等物）に応答して、圧力パッド１１２の拡張を防止し得る。
【００５１】
種々の例示的実施形態では、中敷圧迫システム１００は、ユーザが着座および／または横臥しているとき、「オン」にされるように構成され、ユーザが起立ならびに／もしくは歩行しているとき、「スタンバイ」モードにされるように構成され得る。例示的実施形態では、制御パッド１７０は、中敷圧迫システム１００を利用する個人が、例えば、２〜１０分の好適な期間にわたって、着座または別様に静止もしくは横臥していることをセンサが制御パッド１７０に報告しない限り、中敷圧迫システム１００の動作を防止し得る。
【００５２】
例示的実施形態では、制御パッド１７０は、中敷圧迫システム１００を制御および／または動作させるために、例えば、耐久性平坦ワイヤを介して、アクチュエータ１１０に解放可能に取り付けられる。制御パッド１７０の一方の側面上のばねクリップは、履物の紐または他の部分への結合を促進する。制御パッド１７０は、電子ボタン、スイッチ、または類似デバイスで構成され、および／もしくはそれを備え得る。種々の例示的実施形態では、制御パッド１７０は、機能のためのＬＥＤインジケータと一緒に、制御ボタンを備えている。加えて、制御パッド１７０は、例えば、バッテリ充電、データ転送、および／または同等物のために、通信ポート、例えば、ユニバーサルシリアルバス（ＵＳＢ）ポートを備え得る。さらに、制御パッド１７０は、例えば、Ｂｌｕｅｔｏｏｔｈ（登録商標）等の無線接続を介して、中敷圧迫システム１００および／または外部構成要素の他の構成要素に結合され得る。さらに、制御パッド１７０は、対応するインジケータライトを伴う可変圧力制御スイッチを備え得る。制御パッド１７０はさらに、対応するインジケータライトを伴う可変速力制御スイッチ、オン／オフスイッチ、圧力スイッチ、クリックホイール、トラックボール、Ｄパッド、および／または同等物を備え得る。制御パッド１７０は、ユーザが中敷圧迫システム１００の動作を制御することを可能にするように構成される任意の好適な構成要素を備え得る。
【００５３】
種々の例示的実施形態では、中敷圧迫システム１００は、１つ以上の電子回路、例えば、制御パッド１７０によって、少なくとも部分的に動作させられ、制御され、および／もしくはアクティブ化され得る。例示的実施形態によると、例示的制御パッド１７０および／または関連付けられたソフトウェアサブシステムは、アクチュエータ１１０の動作を少なくとも部分的に制御するように構成される構成要素を備えている。例えば、例示的制御パッド１７０は、集積回路、個別の電子構成要素、プリント回路基板、および／または同等物、ならびに／もしくは同部品の組み合わせを備え得る。制御パッド１７０はさらに、クロックまたは他のタイミング回路を備え得る。制御パッド１７０はさらに、アクチュエータ１１０の動作および機能に関するデータ等のデータを記憶するように、データロギング回路、例えば、揮発性または不揮発性メモリ等を備え得る。さらに、ソフトウェアサブシステムは、アクチュエータ１１０の種々の変数、例えば、圧力パッド拡張持続時間および／または同等物を調節するために、事前にプログラムされ、制御パッド１７０と通信し得る。加えて、制御パッド１７０は、アクチュエータ１１０に無線で結合され得、さらに、アクチュエータ１１０は、スマートフォン、タブレット、スマートウォッチ、および／または同等物との直接通信のための無線構成要素を含み得る。このようにして、中敷圧迫システム１００の動作は、例えば、スマートフォン上で動作するソフトウェアアプリケーションを介して、統制および／または制御され得る。
【００５４】
制御パッド１７０は、中敷圧迫システム１００に関連するデータを記憶するように構成され得る。例えば、種々の例示的実施形態では、制御パッド１７０は、中敷圧迫システム１００が個人の足に搭載され、アクティブであるかどうか、中敷圧迫システム１００が個人の足に搭載され、非アクティブであるかどうか、中敷圧迫システム１００が個人の足に搭載されておらず、中敷圧迫システム１００が非アクティブであるかどうか、および／または同等物、ならびに／もしくは同内容の組み合わせを記録し得る。
【００５５】
さらに、制御パッド１７０は、中敷圧迫システム１００がアクティブである持続時間、行われる圧迫または刺激サイクルの数、サイクルが中敷圧迫システム１００によって行われるパラメータ等を記録し得る。さらに、制御パッド１７０はさらに、制御パッド１７０に記憶されたデータが、分析のために読み出され、削除され、圧縮され、暗号化され、および／または同等物であることを可能にするように構成される回路を備え得る。制御パッド１７０は、例えば、平坦ワイヤ、無線リンク、および／または同等物を介して、アクチュエータ１１０に取り外し可能もしくは恒久的に結合され得る。
【００５６】
例示的実施形態によると、中敷圧迫システム１００はさらに、バッテリ１３０を備えている。バッテリは、アクチュエータ１１０等の中敷圧迫システム１００の種々の構成要素のための電力を提供するために好適な電気化学セルを備え得る。バッテリ１３０は、再充電可能であり得るが、単回使用でもあり得る。バッテリ１３０は、アルカリ、ニッケル水素、リチウムイオン、リチウムポリマー、および／またはアクチュエータ１１０に給電するために好適な他のバッテリ構成を備え得る。さらに、バッテリ１３０は、電力を中敷圧迫システム１００に提供するために好適である、任意の好適な化学的性質、形状因子、電圧、および／または容量を備え得る。バッテリ１３０は、例えば、所望に応じて、バッテリの再充電を促進するように、中敷１５０から切り離され得る。代替として、バッテリ１３０は、中敷１５０からバッテリを切り離す必要なく、ケーブルを介して電力供給部に接続することによって再充電し得る。ある例示的実施形態では、バッテリ１３０は、アクチュエータ１１０に、それによって、制御パッド１７０に結合される。このようにして、バッテリ１３０は、例えば、制御パッド１７０へのＵＳＢ接続を介して再充電され得る。
【００５７】
種々の例示的実施形態では、中敷圧迫システム１００は、完全に内蔵型であり得、別の言い方をすれば、中敷圧迫システム１００は、中敷圧迫システム１００の動作のために必要な全ての構成要素が、中敷１５０内に収納され、および／またはそれに物理的に結合される独立型ユニットとして構成され得る。
【００５８】
種々の例示的実施形態では、中敷圧迫システム１００は、圧迫衣類、例えば、圧迫靴下に結合され、それとともに利用され、および／またはそれと統合され得る。圧迫靴下は、例えば、深部静脈血栓症を治療および／または予防するため、運動回復を促進するため、ならびに／もしくは同等物のために、中敷圧迫システム１００と補完的様式で連動するように構成され得る。
【００５９】
ある例示的実施形態では、中敷圧迫システム１００は、トレーニング後の低強度身体活動を補完して、および／またはその代用として使用するために構成される。別の言い方をすれば、中敷圧迫システム１００は、乳酸および代謝廃棄物を同時に除去しながら、栄養を筋肉に送達するために、「運動回復」または身体の静脈系内の血流の増強を促進するように構成される。トレーニング後、個人は、完全な休息を介してではなく、低強度身体活動を介して、運動の後作用（例えば、筋肉および／または血液内の乳酸の蓄積）から、より迅速に回復し得ることが見出されている。低強度身体活動に付随する、増加した血液循環は、筋肉からの細胞代謝廃棄物および乳酸の除去ならびに血流中の乳酸濃度の低減を促進する。加えて、身体活動は、修復水和および／または効率的栄養素移動を可能にするように、毛細血管床の開放を促進することができる。対照的に、不動性、例えば、座位または横臥のいずれかのトレーニング後期間は、運動回復を助長するために、生理学的に殆ど役立たない。低下した静脈ピーク速度および低減した循環は、毛細血管を閉鎖し、定位置で乳酸を係止し、腫脹および筋肉痛に影響を及ぼす。さらに、膝および腰に６０〜９０度の撓曲を伴う、腰および膝を屈曲した状態での座位は、動脈血供給ならびに静脈還流をねじり、浮腫鬱滞、毒素貯蔵、および栄養素欠乏の危険性を上昇させ得る。
【００６０】
したがって、血液循環を助長することによって、中敷圧迫システム１００は、低強度身体活動を介して得られるものに類似する利益を達成するために利用され得る。例えば、中敷圧迫システム１００は、ピーク静脈速度の増強、静脈体積還流の増強、および／または線維素溶解の増強を達成するために利用され得る。加えて、増加した静脈流出は、細胞代謝廃棄生成物を排出し、下腿の軟組織に閉じ込められる過剰な流体を低減させ、それによって、空いた毛細血管床への動脈流入を助長する。下腿浮腫および他の有意な危険因子が、低減および／または排除される。別の言い方をすれば、中敷圧迫システム１００の使用を介して、個人は、実際には歩行することはないが歩行等の低有酸素活動を介して達成されるものに類似する結果を達成し得る。ユーザは、着座および／または横臥位にあるにもかかわらず、増強した静脈流出を達成する。
【００６１】
例示的実施形態では、中敷圧迫システム１００は、「ゴールデンアワー」、すなわち、トレーニング直後の最初の約６０分の間に、「クールダウン」プロセスの一部として個人によって使用され得る。他の例示的実施形態では、中敷圧迫システム１００は、トレーニング後、例えば、トレーニング直後からトレーニング後の約１２時間の所定の期間中に使用され得る。中敷圧迫システム１００は、運動回復を支援するために、好適な持続時間、例えば、約１０分〜約２時間の持続時間にわたって、トレーニング後に利用され得る。残留細胞代謝廃棄物は、軟組織から流出するために数日かかり得るが、このプロセスは、トレーニング後の中敷圧迫システム１００の使用を介して、大いに加速されることができる。運動回復プログラムの一部としての中敷圧迫システム１００の使用を促進するために、中敷圧迫システム１００は、トレーニング中の使用のために意図された運動用履物の中に挿入され得る。さらに、中敷圧迫システム１００はさらに、運動後の履物の中に挿入され得る。
【００６２】
中敷圧迫システム１００は、個人による規則的スケジュールで、例えば、トレーニング前のウォームアップ、トレーニング後のクールダウンの一部として、および／またはトレーニングが予定に入れられていない日に、利用され得る。血流を増加させることによって、中敷圧迫システム１００は、運動に先立った筋肉の準備の改善、より迅速な運動後の回復、および／または激しい運動がない日の循環の改善を促進することができる。具体的には、中敷圧迫システム１００は、望ましくは、より速い回復を促進するために、競技種目の後に競技者によって利用され得る。
【００６３】
例示的実施形態では、アクチュエータ１１０は、本明細書で議論されるように、足の静脈叢領域を繰り返し圧迫するように構成される。
【００６４】
ここで図５Ａを参照して、例示的実施形態によると、概して、運動後に個人において循環を増進する、および／または運動回復を実装する方法５１０は、圧力パッドを足と接触するように移動させること（ステップ５１１）と、圧力パッドを足との接触から外れるように移動させること（ステップ５１２）とを含む。圧力パッドは、血流を促進するために、上で説明されるように繰り返し移動させられ得る。図５Ｂを参照して、例示的実施形態によると、運動後に循環を増進する、および／または運動回復を実装するための方法５２０はさらに、中敷圧迫システムを靴の中に挿入すること（ステップ５２１）と、中敷圧迫システムをアクティブ化すること（ステップ５２２）と、圧力パッドを足と接触するように移動させること（ステップ５２３）と、圧力パッドを足との接触から外れるように移動させること（ステップ８２４）と、中敷圧迫システムを非アクティブ化すること（ステップ８２５）とを含む。ステップ５２３および５２４は、所望に応じて、繰り返され得る。
【００６５】
他の例示的実施形態は、競技種目に先立って中敷圧迫システム１００を利用することと、競技種目に参加することと、競技種目の後に中敷圧迫システム１００を利用することとを含み得る。これらのことはそれぞれ、中敷圧迫システム１００の任意の好適な使用、例えば、方法５１０または５２０を含み得る。さらに、これらのステップは、競技種目に先立った、および／またはその後の任意の好適な時間に行われ得、中敷圧迫システム１００は、任意の所望の時間の長さ（例えば、１５分、３０分、１時間、および／または同等物）にわたって利用され得る。さらに、中敷圧迫システム１００は、医師によって規定される時間の長さにわたって利用され得る。
【００６６】
種々の例示的実施形態では、中敷圧迫システム１００は、長期間にわたって固定、起立、および／または座位にある個人、例えば、事務職員、妊婦、４時間を超える長距離航空飛行の乗客、車椅子に乗った個人、その役割が起立を要求するサービス労働者、病院患者、および／または同等者による使用のために構成される。下肢および脚の中の血流を改善することによって、中敷圧迫システム１００は、長期間の起立、長期間の座位、および／または身体の一部の低減した可動性もしくは不動性に関連付けられる健康への悪影響を低減させることができる。さらに、中敷圧迫システム１００は、代謝廃棄物の除去、創傷ケアおよび回復、または足底筋膜炎、下肢静止不能症候群、深部静脈血栓症、肺塞栓症、ならびに静脈機能不全を含む病状の治療と関連して使用するために構成され得る。
【００６７】
種々の例示的実施形態では、ここで図６を参照すると、中敷圧迫システム１００は、足底筋膜炎の治療に関連して利用され得る。これらの実施形態では、中敷圧迫システム１００のアクティブ化は、主に、循環および／または血管分布を増加させることを対象とせず（但し、これらの結果は存在し得る）、むしろ、中敷圧迫システム１００のアクティブ化は、足底筋膜および／または足の周辺組織ならびに構成要素を引き伸ばすこと、マッサージすること、および／または別様に治療することを対象とする。例示的実施形態では、中敷圧迫システム１００は、圧力パッド１１２の拡張を介して、足底筋膜を引き伸ばすために利用される。
【００６８】
例示的実施形態では、足底筋膜炎を治療するための方法６１０に関連して、圧力パッド１１２は、足底筋膜を引き伸ばすために、足と接触するように拡張される。圧力パッド１１２は、足底筋膜を引き伸ばすために、所望の期間にわたって足と接触させられ得る（ステップ６１１）。例示的実施形態によると、圧力パッド１１２は、ある例示的実施形態では、約５０ニュートン〜約８０ニュートンの間の力を用いて拡張され得る。圧力パッド１１２は、約１秒〜約６秒の時間にわたって拡張位置で保たれ得る。次いで、圧力パッド１１２は、後退させられる（ステップ６１２）。次いで、圧力パッド１１２は、約１０〜６０秒の遅延後等に、再拡張され得る（ステップ６１１）。しかしながら、他の時間枠も使用されることができ、全ての好適な時間枠は、本開示の範囲内に入ると考えられる。
【００６９】
種々の例示的実施形態では、足底筋膜炎の治療に利用されるとき、中敷圧迫システム１００は、１日に任意の好適な回数、利用され得る。例示的実施形態では、中敷圧迫システム１００は、１日に１回、足底筋膜炎の治療に使用される。別の例示的実施形態では、中敷圧迫システム１００は、１日に２回、足底筋膜炎の治療に使用される。さらに、中敷圧迫システム１００はさらに、所望に応じて、１日に２回を上回って、隔日、および／または任意の他の好適な時間スケジュールで、使用され得る。
【００７０】
種々の例示的実施形態では、足底筋膜炎の治療に利用されるとき、中敷圧迫システム１００は、任意の好適な持続時間にわたって利用され得る。例示的実施形態では、中敷圧迫システム１００は、一度に約３０分にわたって足底筋膜炎の治療に使用される。別の例示的実施形態では、中敷圧迫システム１００は、一度に約１時間にわたって足底筋膜炎の治療に使用される。さらに、中敷圧迫システム１００は、所望に応じて、一度に約１５分〜約８時間にわたって、および／または任意の他の好適な持続時間にわたって使用され得る。
【００７１】
ここで図７を参照すると、種々の例示的実施形態では、中敷圧迫システム１００は、深部静脈血栓症の治療および／または肺塞栓症の予防に関連して利用され得る。これらの実施形態では、中敷圧迫システム１００のアクティブ化は、主に、静脈ピーク速度を増加させることを対象とし得る。加えて、改善した循環および／または血管分布が、達成され得る。例示的実施形態では、中敷圧迫システム１００は、圧力パッド１１２の拡張を介して静脈ピーク速度を増加させるために利用される。
【００７２】
例示的実施形態では、深部静脈血栓症の治療および／または肺塞栓症の予防のための方法７１０に関連して、圧力パッド１１２は、静脈叢を通して血液を押し進めるために、足に接触するように拡張される。圧力パッド１１２は、静脈叢を通して血液を押し進めるために、所望の期間にわたって足と接触させられ得る（ステップ７１１）。圧力パッド１１２は、ある例示的実施形態では、約５０ニュートン〜約８０ニュートンの力を用いて拡張され得る。圧力パッド１１２は、約１〜３秒の時間にわたって拡張位置で保たれ得る。次いで、圧力パッド１１２は、後退させられる（ステップ７１２）。次いで、圧力パッド１１２は、約２０〜４０秒の遅延後等に、再拡張され得る（反復ステップ７１１）。しかしながら、他の時間枠も使用されることができ、全ての好適な時間枠は、本開示の範囲内に入ると考えられる。
【００７３】
種々の例示的実施形態では、深部静脈血栓症の治療および／または肺塞栓症の予防のための方法１０１０に関連して、圧力パッド１１２の拡張は、静脈叢の圧迫を介して、患者においてピーク大腿静脈速度を上昇させるように構成される。例示的実施形態では、圧力パッド１１２の拡張を介した静脈叢の圧迫は、３０センチメートル毎秒（ｃｍ／秒）を超えるピーク大腿静脈速度をもたらす。別の例示的実施形態では、圧力パッド１１２の拡張を介した静脈叢の圧迫は、４０ｃｍ／秒を超えるピーク大腿静脈速度をもたらす。別の例示的実施形態では、圧力パッド１１２の拡張を介した静脈叢の圧迫は、４５ｃｍ／秒を超えるピーク大腿静脈速度をもたらす。さらに、中敷圧迫システム１００は、患者において任意の好適なピーク大腿静脈速度を達成するために、静脈叢を圧迫するように利用され得、前述の実施例は、限定ではなく例証によるものである。
【００７４】
種々の例示的実施形態では、深部静脈血栓症の治療および／または肺塞栓症の予防に利用されるとき、中敷圧迫システム１００は、１日に任意の好適な回数、利用され得る。例示的実施形態では、中敷圧迫システム１００は、１日に１回、深部静脈血栓症の治療および／または肺塞栓症の予防に使用される。別の例示的実施形態では、中敷圧迫システム１００は、１日に２回、深部静脈血栓症の治療および／または肺塞栓症の予防に使用される。さらに、中敷圧迫システム１００はさらに、所望に応じて、１日に２回を上回って、隔日、連続的に、および／または任意の他の好適な時間スケジュールで、使用され得る。
【００７５】
種々の例示的実施形態では、深部静脈血栓症の治療および／または肺塞栓症の予防に利用されるとき、中敷圧迫システム１００は、任意の好適な持続時間にわたって利用され得る。例示的実施形態では、中敷圧迫システム１００は、１日に２４時間使用される。別の例示的実施形態では、中敷圧迫システム１００は、一度に約１２時間にわたって深部静脈血栓症の治療および／または肺塞栓症の予防に使用される。さらに、中敷圧迫システム１００は、所望に応じて、一度に約３時間〜約６時間にわたって、および／または任意の他の好適な持続時間にわたって、使用され得る。
【００７６】
ここで図８を参照すると、種々の例示的実施形態では、中敷圧迫システム１００は、下肢静止不能症候群の治療に関連して利用され得る。これらの実施形態では、中敷圧迫システム１００の使用は、足および／または脚の中の血流を増加させること、足および／または脚の中の神経の刺激、ならびに／もしくは同等物を対象とし得る。加えて、改善した循環および／または血管分布が、達成され得る。例示的実施形態では、中敷圧迫システム１００は、圧力パッド１１２の拡張を介して足を刺激するために利用される。
【００７７】
例示的実施形態では、下肢静止不能症候群を治療するための方法８１０に関連して、圧力パッド１１２は、足を刺激するために、足と接触するように拡張される。圧力パッド１１２は、足を刺激するために、所望の期間にわたって足と接触させられ得る（ステップ８１１）。圧力パッド１１２は、ある例示的実施形態では、約５０ニュートン〜８０ニュートンの力を用いて拡張され得る。圧力パッド１１２は、約１〜３秒の時間にわたって拡張位置で保たれ得る。次いで、圧力パッド１１２は、後退させられる（ステップ８１２）。次いで、圧力パッド１１２は、約２０〜３０秒の遅延後等に、再拡張され得る（反復ステップ８１１）。しかしながら、他の時間枠も使用されることができ、全ての好適な時間枠は、本開示の範囲内に入ると考えられる。
【００７８】
種々の例示的実施形態では、下肢静止不能症候群の治療に利用されるとき、中敷圧迫システム１００は、１日に任意の好適な回数、利用され得る。例示的実施形態では、中敷圧迫システム１００は、１日に１回、例えば、床につく約１時間〜約３時間前に、下肢静止不能症候群の治療に使用される。別の例示的実施形態では、中敷圧迫システム１００は、１日に２回、例えば、朝に起床する約１時間〜約３時間以内、および床につく約１時間〜約３時間前に、下肢静止不能症候群の治療に使用される。さらに、中敷圧迫システム１００はさらに、所望に応じて、１日に２回を上回って、隔日、および／または任意の他の好適な時間スケジュールで、使用され得る。ある例示的実施形態では、中敷圧迫システム１００は、下肢静止不能症候群の症状が発生するとリアルタイムで、それらを治療するために「必要に応じた」基準で利用され得る。
【００７９】
種々の例示的実施形態では、下肢静止不能症候群の治療に利用されるとき、中敷圧迫システム１００は、任意の好適な持続時間にわたって利用され得る。例示的実施形態では、中敷圧迫システム１００は、一度に約１時間〜約３時間にわたって下肢静止不能症候群の治療に使用される。さらに、中敷圧迫システム１００は、所望に応じて、任意の他の好適な持続時間にわたって使用され得る。
【００８０】
ここで図９を参照すると、種々の例示的実施形態では、中敷圧迫システム１００は、浮腫の治療に関連して使用され得る。これらの実施形態では、中敷圧迫システム１００のアクティブ化は、人体の一部の中の循環および／または血管分布を増加させることを対象とし得る。例示的実施形態では、中敷圧迫システム１００は、圧力パッド１１２の拡張を介して、足の静脈叢領域を圧迫するために利用される。
【００８１】
例示的実施形態では、浮腫を治療するための方法９１０に関連して、圧力パッド１１２は、足の静脈叢領域から血液を押し進めるために、足と接触するように拡張される。圧力パッド１１２は、静脈叢から血液を押し進めるために、所望の期間にわたって足と接触させられ得る（ステップ９１１）。例示的実施形態によると、圧力パッド１１２は、ある例示的実施形態では、約５０ニュートン〜８０ニュートンの力を用いて拡張され得る。圧力パッド１１２は、約１秒〜約５秒の時間にわたって拡張位置で保たれ得る。次いで、圧力パッド１１２は、静脈叢が少なくとも部分的に血液を再び満たすことを可能にするために、後退させられる（ステップ９１２）。次いで、圧力パッド１１２は、約３０秒〜約６０秒の遅延後等に、静脈叢から血液を押し進めるように、再拡張され得る（反復ステップ９１１）。しかしながら、他の時間枠も使用されることができ、全ての好適な時間枠は、本開示の範囲内に入ると考えられる。
【００８２】
種々の例示的実施形態では、浮腫の治療に利用されるとき、中敷圧迫システム１００は、１日に任意の好適な回数、利用され得る。例示的実施形態では、中敷圧迫システム１００は、１日に１回、浮腫の治療に使用される。別の例示的実施形態では、中敷圧迫システム１００は、１日に２回、浮腫の治療に使用される。さらに、中敷圧迫システム１００はさらに、所望に応じて、１日に２回を上回って、隔日、および／または任意の他の好適な時間スケジュールで、使用され得る。ある例示的実施形態では、中敷圧迫システム１００は、例えば、患者不快感に応答して、リアルタイムで浮腫の症状を治療するために、「必要に応じた」基準で利用され得る。
【００８３】
種々の例示的実施形態では、浮腫の治療に利用されるとき、中敷圧迫システム１００は、任意の好適な持続時間にわたって利用され得る。例示的実施形態では、中敷圧迫システム１００は、一度に約１時間〜約８時間にわたって浮腫の治療に使用される。さらに、中敷圧迫システム１００は、所望に応じて、任意の他の好適な持続時間にわたって使用され得る。
【００８４】
ここで図１０を参照すると、種々の例示的実施形態では、中敷圧迫システム１００は、静脈機能不全の治療に関連して利用され得る。これらの実施形態では、中敷圧迫システム１００のアクティブ化は、循環を増加させること、１つ以上の静脈内の損傷した弁の影響に対抗すること、および／もしくは同等物を対象とし得る。例示的実施形態では、中敷圧迫システム１００は、圧力パッド１１２の拡張を介して、足の静脈叢領域を圧迫するために利用される。
【００８５】
例示的実施形態では、静脈機能不全を治療するための方法１０１０に関連して、圧力パッド１１２は、足の静脈叢領域から血液を押し進めるために、足と接触するように拡張される。圧力パッド１１２は、静脈叢から血液を押し進めるために、所望の期間にわたって足と接触させられ得る（ステップ１０１１）。圧力パッド１１２は、ある例示的実施形態では、約５０ニュートン〜８０ニュートンの力を用いて拡張され得る。圧力パッド１１２は、約１秒〜約５秒の時間にわたって拡張位置で保たれ得る。次いで、圧力パッド１１２は、静脈叢が少なくとも部分的に血液を再び満たすことを可能にするために、後退させられる（ステップ１０１２）。次いで、圧力パッド１１２は、約３０秒〜約６０秒の遅延後等に、静脈叢から血液を押し進めるように、再拡張され得る（反復ステップ１０１１）。しかしながら、他の時間枠も使用されることができ、全ての好適な時間枠は、本開示の範囲内に入ると考えられる。
【００８６】
種々の例示的実施形態では、静脈機能不全の治療に利用されるとき、中敷圧迫システム１００は、１日に任意の好適な回数、利用され得る。例示的実施形態では、中敷圧迫システム１００は、１日に１回、静脈機能不全の治療に使用される。別の例示的実施形態では、中敷圧迫システム１００は、１日に２回、静脈機能不全の治療に使用される。さらに、中敷圧迫システム１００はさらに、所望に応じて、１日に２回を上回って、隔日、および／または任意の他の好適な時間スケジュールで、使用され得る。ある例示的実施形態では、中敷圧迫システム１００は、例えば、患者不快感に応答して、リアルタイムで静脈機能不全の症状を治療するために、「必要に応じた」基準で利用され得る。
【００８７】
種々の例示的実施形態では、静脈機能不全の治療に利用されるとき、中敷圧迫システム１００は、任意の好適な持続時間にわたって利用され得る。例示的実施形態では、中敷圧迫システム１００は、一度に約１時間〜約１２時間にわたって静脈機能不全の治療に使用される。さらに、中敷圧迫システム１００は、所望に応じて、任意の他の好適な持続時間にわたって使用され得る。
【００８８】
ここで図１１を参照すると、種々の例示的実施形態では、中敷圧迫システム１００は、創傷の治療に関連して利用され得る。これらの実施形態では、中敷圧迫システム１００のアクティブ化は、創傷部位における、および／またはその周囲の血液循環ならびに／もしくは血管分布を増加させることを対象とし得る。さらに、創傷ケアに関連して、中敷圧迫システム１００の使用は、創傷の領域中の身体の循環容量によって誘導および／または統制され得る。別の言い方をすれば、中敷圧迫システム１００は、創傷の領域の循環容量を超えることなく、創傷の領域中の循環を増加させるように構成され得る。例示的実施形態では、中敷圧迫システム１００は、圧力パッド１１２の拡張を介して、身体の一部、例えば、足の静脈叢領域を圧迫するために利用される。
【００８９】
例示的実施形態では、創傷ケアのための方法１１１０に関連して、圧力パッド１１２は、身体の一部、例えば、足から血液を押し進め、および／または別様に身体の領域を通して血液を「拍出する」ことを支援するために、身体の一部と接触するように拡張される。圧力パッド１１２は、それを通して血液を押し進めるために、所望の期間にわたって身体と接触させられ得る（ステップ１１１１）。圧力パッド１１２は、ある例示的実施形態では、約５０ニュートン〜８０ニュートンの力を用いて拡張され得る。圧力パッド１１２は、約１秒〜約５秒の時間にわたって拡張位置で保たれ得る。次いで、圧力パッド１１２は、身体の一部が少なくとも部分的に血液を再び満たすことを可能にするために、後退させられる（ステップ１１１２）。次いで、圧力パッド１１２は、約３０秒〜約６０秒の遅延後等に、身体の一部から血液を押し進めるように、再拡張され得る（反復ステップ１１１１）。しかしながら、他の時間枠も使用されることができ、全ての好適な時間枠は、本開示の範囲内に入ると考えられる。
【００９０】
種々の例示的実施形態では、創傷ケアに利用されるとき、中敷圧迫システム１００は、１日に任意の好適な回数、利用され得る。例示的実施形態では、中敷圧迫システム１００は、１日に１回、創傷ケアに使用される。別の例示的実施形態では、中敷圧迫システム１００は、１日に２回、創傷ケアに使用される。さらに、中敷圧迫システム１００はさらに、所望に応じて、１日に２回を上回って、隔日、および／または任意の他の好適な時間スケジュールで、使用され得る。ある例示的実施形態では、中敷圧迫システム１００は、創傷の領域中で着実に上昇した循環のレベルを提供するために、連続的に利用され得る。
【００９１】
種々の例示的実施形態では、創傷ケアに利用されるとき、中敷圧迫システム１００は、任意の好適な持続時間にわたって利用され得る。例示的実施形態では、中敷圧迫システム１００は、一度に約１時間〜約２４時間にわたって創傷ケアに使用される。さらに、中敷圧迫システム１００は、所望に応じて、任意の他の好適な持続時間にわたって使用され得る。
【００９２】
前述の方法の種々のステップ、例えば、身体の一部と接触するように圧力パッドを拡張すること、身体の一部との接触から圧力パッドを除去すること等は、所望の成果を達成するために、好適に繰り返され得ることが理解されるであろう。
【００９３】
本明細書に説明される例示的実施形態は、当業者が本開示の原理を実践することを可能にするために十分に詳細に説明されるが、他の実施形態が実現され得、論理的および／または機能的変更が、本開示の精神ならびに範囲から逸脱することなく行われ得ることを理解されたい。したがって、本明細書の詳細な説明は、限定ではなく例証の目的で提示される。例えば、種々の動作ステップならびに動作ステップを実行するための構成要素は、特定の用途に応じて、またはシステムの動作に関連付けられる任意の数の費用関数を考慮して、代替的な方法で実装され得、例えば、ステップのうちの１つ以上のものは、削除され得るか、修正され得るか、または他のステップと組み合わせられ得る。さらに、上で説明される圧迫のための方法およびシステムは、足の上で使用するために好適であるが、類似アプローチが、手、ふくらはぎ、または身体の他のエリアの上で使用され得ることに留意されたい。これらおよび他の変更または修正は、本開示の範囲内に含まれることを意図している。
【００９４】
簡潔にするために、例示的システムおよび方法（ならびにその構成要素）の従来の製造アプローチ、材料、および他の側面は、本明細書で詳細に説明されない場合がある。さらに、本明細書に含まれる種々の図に示される接続線は、種々の要素の間の機能的関係および／または物理もしくは通信結合を表すことを意図している。多くの代替的または付加的な機能的関係もしくは物理的接続が、実用的な中敷圧迫システムに存在し得ることに留意されたい。
【００９５】
本明細書で概説されるステップは、本開示の原理の例示的実施形態を表すが、ステップは、説明のためのみに提示され、本開示の範囲をいかようにも限定することを意図していない。利益、他の利点、および問題の解決策が、具体的実施形態に関して本明細書に説明されている。しかしながら、利益、利点、問題の解決策、および任意の利益、利点、または問題の解決策を生じさせ得る、もしくはより顕著にさせ得る任意の要素は、請求項のうちのいずれかまたは全ての重要、必要、もしくは不可欠な特徴または要素として解釈されるものではない。
【００９６】
例示的実施形態を示す、詳細な説明および具体的実施例は、限定としてではなく、例証の目的のみで挙げられていることを理解されたい。多くの変更および修正が、その精神から逸脱することなく行われ得、本開示の原理は、全てのそのような修正を含む。全ての要素の対応する構造、材料、行為、および均等物は、他の要素と組み合わせて機能を果たすための任意の構造、材料、または行為を含むことを意図している。単数での要素の言及は、明示的にそのように記述されない限り、「唯一の」ではなく、むしろ「１つ以上の」を意味することを意図している。
【００９７】
本明細書で使用されるように、用語「ｃｏｍｐｒｉｓｅｓ（備えている）」、「ｃｏｍｐｒｉｓｉｎｇ」、またはその任意の他の変形例は、要素のリストを備えているプロセス、方法、物品、または装置が、これらの要素を含むだけでなく、明示的に列挙されていない、またはそのようなプロセス、方法、物品、もしくは装置に固有の他の要素を含み得るように、非排他的包含を網羅することを意図している。さらに、本明細書で使用されるように、用語「ｃｏｕｐｌｅｄ（結合される）」、「ｃｏｕｐｌｉｎｇ（結合する）」、またはその任意の他の変形例は、物理的接続、電気接続、磁気接続、光学接続、通信接続、機能的接続、および／もしくは任意の他の接続を網羅することを意図している。さらに、「Ａ、Ｂ、もしくはＣのうちの少なくとも１つ」または「Ａ、Ｂ、およびＣのうちの少なくとも１つ」に類似する語句が、請求項または明細書で使用されるとき、語句は、以下のうちのいずれか、すなわち、（１）少なくとも１つのＡ、（２）少なくとも１つのＢ、（３）少なくとも１つのＣ、（４）少なくとも１つのＡおよび少なくとも１つのＢ、（５）少なくとも１つのＢおよび少なくとも１つのＣ、（６）少なくとも１つのＡおよび少なくとも１つのＣ、または（７）少なくとも１つのＡ、少なくとも１つのＢ、および少なくとも１つのＣを意味することを意図している。
【図１Ａ】
2018507075.tif 000003
【図１Ｂ】
2018507075.tif 000004
【図１Ｃ】
2018507075.tif 000005
【図１Ｄ】
2018507075.tif 000006
【図１Ｅ】
2018507075.tif 000007
【図１Ｆ】
2018507075.tif 000008
【図１Ｇ】
2018507075.tif 000009
【図２Ａ】
2018507075.tif 000010
【図２Ｂ】
2018507075.tif 000011
【図２Ｃ】
2018507075.tif 000012
【図２Ｄ】
2018507075.tif 000013
【図２Ｅ】
2018507075.tif 000014
【図３Ａ】
2018507075.tif 000015
【図３Ｂ】
2018507075.tif 000016
【図４】
2018507075.tif 000017
【図５Ａ】
2018507075.tif 000018
【図５Ｂ】
2018507075.tif 000019
【図６】
2018507075.tif 000020
【図７】
2018507075.tif 000021
【図８】
2018507075.tif 000022
【図９】
2018507075.tif 000023
【図１０】
2018507075.tif 000024
【図１１】
2018507075.tif 000025
2018507075.tif 000026
【国際調査報告】
2018507075.tif 000027
2018507075.tif 000028
2018507075.tif 000029